【手続補正書】
【提出日】平成17年11月10日(2005.11.10)
【手続補正１】
【補正対象書類名】特許請求の範囲
【補正対象項目名】全文
【補正方法】変更
【補正の内容】
【特許請求の範囲】
【請求項１】
偏光回復システムであって、
第１と第２の偏光を有する光を放射する照明源から光を受け入れる光注入孔を有する光経路であって、第１の偏光を有する前記注入された光を伝送し第２の偏光を有する前記注入された光を反射する反射偏光器を具える、前記光経路と、
前記反射された光を更に反射して前記反射偏光器の方へ戻すための少なくとも１つの反射面と、
前記光経路内に配置されて、前記反射偏光器で反射された光を、前記第１の偏光を有する光に変換する変換手段と、から成り、前記変換された光も前記反射偏光器により伝送される、前記偏光回復システム。
【請求項２】
前記光経路が、前記少なくとも１つの反射面を含む内側に面する反射面により形成される、請求項１記載の偏光回復システム。
【請求項３】
前記変換手段が１／４波長板から成る、請求項２記載の偏光回復システム。
【請求項４】
前記変換手段が１／４波長板から成る、請求項１記載の偏光回復システム。
【請求項５】
前記光経路が集光器の一部を形成する、請求項４記載の偏光回復システム。
【請求項６】
前記光経路が集光器の一部を形成する、請求項１記載の偏光回復システム。
【請求項７】
前記光経路が集光器の一部を形成する、請求項２記載の偏光回復システム。
【請求項８】
前記光経路が集光器の一部を形成する、請求項３記載の偏光回復システム。
【請求項９】
前記光注入孔と前記反射偏光器が互いに前記光経路の反対側の端に配置される、請求項１記載の偏光回復システム。
【請求項１０】
前記光注入孔と前記反射偏光器が互いに前記光経路の反対側の端に配置される、請求項８記載の偏光回復システム。
【請求項１１】
前記反射偏光器と前記１／４波長板が前記光経路の同一端に在る、請求項１記載の偏光回復システム。
【請求項１２】
前記反射偏光器と前記１／４波長板が前記光経路の同一端に在る、請求項８記載の偏光回復システム。
【請求項１３】
前記光注入孔と前記１／４波長板が前記光経路の同一端に在る、請求項１記載の偏光回復システム。
【請求項１４】
前記光注入孔と前記１／４波長板が前記光経路の同一端に在る、請求項８記載の偏光回復システム。
【請求項１５】
前記反射偏光器が、光を反射すると共に偏光された光を伝送する単一の光学装置から成る、請求項１記載の偏光回復システム。
【請求項１６】
前記反射偏光器が、
光路の長手方向の軸に平行に配置される鏡と、    
前記軸に関して角度４５°に配置される、偏光ビーム・スプリッタと、から成る、請求項１記載の偏光回復システム。
【請求項１７】
前記反射偏光器が第１と第２の偏光ビーム・スプリッタを具え、各スプリッタは前記光路の長手方向の軸に関して角度４５°に且つ互いに９０°に配置される、請求項１記載の偏光回復システム。
【請求項１８】
液晶ディスプレイ（ＬＣＤ）イメージャ用の照明システムにおいて偏光を回復する方法であって、
第１と第２の偏光を有する光を光路に沿って前方に誘導するステップと、
前記第１の偏光を有する誘導された光を前記パスから通過させるステップと、
前記第２の偏光を有する光を前記光路に沿って後方と前方に反射するステップと、
前記反射するステップの間、反射された光を前記第１の偏光を有するように変換するステップと、
前記第１の偏光に変換された光を前記パスから通過させ、前記第１の偏光を有する光がより多く前記パスから通過できるようにするステップと、から成る、前記方法。
【請求項１９】
前記誘導するステップと反射するステップの間、前記光路内の光を集光するステップを更に含む、請求項１８記載の方法。
【請求項２０】
前記反射光の偏光を１／４波長ずつ変換するステップを含む、請求項１８記載の方法。
【請求項２１】
液晶イメージャ用の照明システムであって、
ランダムに偏光される光の源と、
前記ランダムに偏光された光を受け入れるために一方の端にアパーチャを具え且つ内部に光路を形成する反射面を具える、集光器と、
前記光路の反対側の端に配置され、第１の偏光を有する光を伝送すると共に第２の偏光を有する光を反射する反射偏光器であって、前記第２の偏光を有する光は前記光路に沿って前後に反射される、前記偏光器と、
前記光路内に配置されて、前記前後に反射された光を、前記第１の偏光を有する光に変換する手段と、を具え、前記変換された光も前記反射偏光器により伝送される、前記照明システム。
【請求項２２】
前記反射偏光器により伝送され且つ前記第１の偏光を有する光の２つの成分により照明される液晶イメージャから成る、請求項２１記載のシステム。
【請求項２３】
前記変換手段が１／４波長板から成る、請求項２１記載のシステム。
【請求項２４】
前記変換手段と反射偏光器が光路の同一端に配置される請求項２１記載のシステム。
【請求項２５】
前記アパーチャと変換手段が光路の同一端に配置される請求項２１記載のシステム。
【手続補正２】
【補正対象書類名】明細書
【補正対象項目名】発明の名称
【補正方法】変更
【補正の内容】
【発明の名称】偏光回復システム、照明システム、および偏光を回復する方法
【手続補正３】
【補正対象書類名】明細書
【補正対象項目名】０００１
【補正方法】変更
【補正の内容】
【０００１】
本発明は、偏光回復（リサイクル）システムに関し、特に、照明システムをベースとするＬＣＤ／ＬＣＯＳイメージャ（ｉｍａｇｅｒ）において使用するのに適した偏光回復システムに関する。
【手続補正４】
【補正対象書類名】明細書
【補正対象項目名】００１０
【補正方法】変更
【補正の内容】
【００１０】
液晶イメージャ用の照明システムは、ランダムに偏光された光の源と、ランダムに偏光された光を受け入れるアパーチャ（ａｐｅｒｔｕｒｅ：孔）を一端に有し且つ内部に光路を形成する反射面を有する集光器と、光路の反対側の端に配置され、第１の偏光を有する光を伝送し、光路に沿って前後に反射される第２の偏光を有する光を反射する反射偏光器と、前記光経路内に配置され、前後に反射される光を第１の偏光を有する光に変換する手段と、から成り、この変換された光も反射偏光器により伝送される。液晶イメージャは、反射する偏光器により伝送される光の成分と第１の偏光を有する光の成分とにより、一層能率的に照明される。
特許請求の範囲と実施例との対応関係を実施例で使われている参照番号を用いて示すと以下の通りである。
（請求項１）
偏光回復システムであって、
第１と第２の偏光を有する光を放射する照明源（１２）から光を受け入れる光注入孔（１８）を有する光経路であって、第１の偏光を有する前記注入された光を伝送し第２の偏光を有する前記注入された光を反射する反射偏光器（３０）を具える、前記光経路（２０）と、
前記反射された光を更に反射して前記反射偏光器（３０）の方へ戻すための少なくとも１つの反射面（２６）と、
前記光経路内に配置されて、前記反射偏光器で反射された光を、前記第１の偏光を有する光に変換する変換手段と、から成り、前記変換された光も前記反射偏光器により伝送される、前記偏光回復システム。
（請求項２）
前記光経路が、前記少なくとも１つの反射面を含む内側に面する反射面により形成される、請求項１記載の偏光回復システム。
（請求項３）
前記変換手段が１／４波長板から成る、請求項２記載の偏光回復システム。
（請求項４）
前記変換手段が１／４波長板から成る、請求項１記載の偏光回復システム。
（請求項５）
前記光経路が集光器の一部を形成する、請求項４記載の偏光回復システム。
（請求項６）
前記光経路が集光器の一部を形成する、請求項１記載の偏光回復システム。
（請求項７）
前記光経路が集光器の一部を形成する、請求項２記載の偏光回復システム。
（請求項８）
前記光経路が集光器の一部を形成する、請求項３記載の偏光回復システム。
（請求項９）
前記光注入孔と前記反射偏光器が互いに前記光経路の反対側の端に配置される、請求項１記載の偏光回復システム。
（請求項１０）
前記光注入孔と前記反射偏光器が互いに前記光経路の反対側の端に配置される、請求項８記載の偏光回復システム。
（請求項１１）
前記反射偏光器と前記１／４波長板が前記光経路の同一端に在る、請求項１記載の偏光回復システム。
（請求項１２）
前記反射偏光器と前記１／４波長板が前記光経路の同一端に在る、請求項８記載の偏光回復システム。
（請求項１３）
前記光注入孔と前記１／４波長板が前記光経路の同一端に在る、請求項１記載の偏光回復システム。
（請求項１４）
前記光注入孔と前記１／４波長板が前記光経路の同一端に在る、請求項８記載の偏光回復システム。
（請求項１５）
前記反射偏光器が、光を反射すると共に偏光された光を伝送する単一の光学装置から成る、請求項１記載の偏光回復システム。
（請求項１６）
前記反射偏光器が、
光路の長手方向の軸に平行に配置される鏡と、
前記軸に関して角度４５°に配置される、偏光ビーム・スプリッタと、から成る、請求項１記載の偏光回復システム。
（請求項１７）
前記反射偏光器が第１と第２の偏光ビーム・スプリッタを具え、各スプリッタは前記光路の長手方向の軸に関して角度４５°に且つ互いに９０°に配置される、請求項１記載の偏光回復システム。
（請求項１８）
液晶ディスプレイ（ＬＣＤ）イメージャ（２４）用の照明システム（１０）において偏光を回復する方法であって、
第１と第２の偏光を有する光を光路（２７）に沿って前方に誘導するステップと、
前記第１の偏光を有する誘導された光を前記パスから通過させるステップと、
前記第２の偏光を有する光を前記光路に沿って後方と前方に反射するステップと、
前記反射するステップの間、反射された光を前記第１の偏光を有するように変換するステップと、
前記第１の偏光に変換された光を前記パスから通過させ、前記第１の偏光を有する光がより多く前記パスから通過できるようにするステップと、から成る、前記方法。
（請求項１９）
前記誘導するステップと反射するステップの間、前記光路内の光を集光するステップを更に含む、請求項１８記載の方法。
（請求項２０）
前記反射光の偏光を１／４波長ずつ変換するステップを含む、請求項１８記載の方法。
（請求項２１）
液晶イメージャ用の照明システムであって、
ランダムに偏光される光の源（１２）と、
前記ランダムに偏光された光を受け入れるために一方の端にアパーチャ（１８）を具え且つ内部に光路（２７）を形成する反射面（２６）を具える、集光器（２０）と、
前記光路の反対側の端に配置され、第１の偏光を有する光を伝送すると共に第２の偏光を有する光を反射する反射偏光器（３０）であって、前記第２の偏光を有する光は前記光路に沿って前後に反射される、前記偏光器（３０）と、
前記光路内に配置されて、前記前後に反射された光を、前記第１の偏光を有する光に変換する手段と、を具え、前記変換された光も前記反射偏光器により伝送される、前記照明システム。
（請求項２２）
前記反射偏光器により伝送され且つ前記第１の偏光を有する光の２つの成分により照明される液晶イメージャから成る、請求項２１記載のシステム。
（請求項２３）
前記変換手段が１／４波長板から成る、請求項２１記載のシステム。
（請求項２４）
前記変換手段と反射偏光器が光路の同一端に配置される請求項２１記載のシステム。
（請求項２５）
前記アパーチャと変換手段が光路の同一端に配置される請求項２１記載のシステム。